(57)【要約】【課題】  飛灰を袋詰めして回収する際に、飛灰が飛散しないように袋に充填する。【解決手段】  ホッパ１０５下端に袋状の開口部保持部材１１８を具備し、この開口部保持部材１１８を回収袋１１３の開口部を覆うようにして固定する。この固定は、開口部保持部材１１８を回収袋１１３に密着させるだけでもよいし、密着させてからリング部材で固定してもよいし、開口部保持部材１１８にシール部材を設けて回収袋１１３に吸着させてもよい。【選択図】  図２
2005112373.tif 000002
【特許請求の範囲】
【請求項１】
原料を加熱処理する際に生じた排ガス中の飛灰をバグフィルタで捕集してから回収タンクに回収した後に、飛灰が大気中に飛散しないように袋詰めを行う方法であって、
前記回収タンク内の飛灰を空気輸送装置によりホッパに導入する第1工程と、
前記ホッパに導入された飛灰を該ホッパに具備される定量を行う手段により規定の体積または重量に分別する第2工程と、
前記分別した飛灰を大気中に飛散しないように袋詰めにする第3工程と、
前記袋詰めした回収袋を密封する第4工程とからなることを特徴とする飛灰の袋詰め方法。
【請求項２】
前記第1工程の空気輸送装置は、前記回収タンクに取り付ける吸引ノズルと、この吸引ノズルを前記ホッパに接続する配管と、前記ホッパに接続し空気の吸引を行うコンプレッサと、このコンプレッサへの飛灰の侵入を防止するフィルタとから構成されることを特徴とする請求項１記載の飛灰の袋詰め方法。
【請求項３】
前記第2工程の定量を行う手段は前記ホッパの下部に具備される定量計測部と第1開閉ダンパと第2開閉ダンパとからなり、
前記第1開閉ダンパを開放して前記ホッパに導入された飛灰を前記定量計測部に導入し、
規定した体積または重量の飛灰を前記定量計測部に堆積させてから前記第1開閉ダンパを閉じ、前記第2開閉ダンパを開放して規定した体積または重量の飛灰を袋詰めにすることを特徴とする請求項１または２記載の飛灰の袋詰め方法。
【請求項４】
前記第３工程は、前記ホッパ下端の開口部に装着した回収袋に前記分別された飛灰を導入するもので、
前記回収袋を袋保持枠により保持し、前記ホッパ下端の開口部を前記回収袋の開口部で覆うようにして該回収袋を装着し、
前記ホッパ下端には袋状の開口部保持部材を設置し、この開口部保持部材の開口部で前記回収袋を封止してから袋詰めを行うことを特徴とする請求項１〜３いずれかに記載の飛灰の袋詰め方法。
【請求項５】
原料を加熱処理する際に生じた排ガス中の飛灰をバグフィルタで捕集してから回収タンクに回収した後に、飛灰が大気中に飛散しないように袋詰めを行うシステムであって、
前記回収タンクに取り付ける吸引ノズルと、
この吸引ノズルをホッパに接続する配管と、
前記ホッパに接続し空気の吸引を行うコンプレッサと、
このコンプレッサへの飛灰の侵入を防止するフィルタと、
前記ホッパに設置された飛灰の定量を行う手段と、
前記ホッパ下端の開口部に装着する回収袋と、
この回収袋を密封する手段とからなることを特徴とする飛灰の袋詰めシステム。
【請求項６】
前記飛灰の定量を行う手段は、前記ホッパの下部に具備される定量計測部と第1開閉ダンパと第2開閉ダンパとからなり、
前記第1開閉ダンパを開放して前記ホッパに導入された飛灰を前記定量計測部に導入し、
規定した体積または重量の飛灰を前記定量計測部に堆積させてから前記第1開閉ダンパを閉じ、前記第2開閉ダンパを開放して規定した体積または重量の飛灰を袋詰めにすることを特徴とする請求項５記載の飛灰の袋詰めシステム。
【請求項７】
前記前記ホッパ下端の開口部に取り付けられている回収袋は、袋保持枠により保持され、前記ホッパ下端の開口部を前記回収袋の開口部で覆うようにして該回収袋を装着し、
前記ホッパ下端には袋状の開口部保持部材を設置し、この開口部保持部材の開口部で前記回収袋を封止してから袋詰めを行うことを特徴とする請求項５または６記載の飛灰の袋詰めシステム。
【発明の詳細な説明】
【技術分野】
【０００１】
本発明は、有機物質、無機物質、含水物質等の原料を加熱により熱分解して、乾燥品、炭化品、灰化品、土壌類の洗浄品(汚染度上の浄化)等を得る技術に係り、特に原料が熱分解する際に生じる排ガスに含まれる灰分を飛灰としてバグフィルタ装置で捕集回収し、これを空気輸送により搬送して袋詰めにする技術に関するものである。
【背景技術】
【０００２】
近年、各種汚泥、有機性廃棄物、生産活動で発生した端材などは、産業廃棄物として乾燥処理、熱分解処理（炭化など）などの加熱処理に供されている。
【０００３】
前記加熱処理としては、通常、間接加熱方式が採用されている。間接加熱の利点は、被処理物を直接加熱しないで、熱分解により水分を除去して乾燥物を得るか、またはさらに加熱して可燃性の揮発成分を除去して炭化物を得ているので、被処理物の素材の特徴を活かすことができる。
【０００４】
図３は間接加熱方式を採用した加熱処理装置を備えた施設の概略図である。加熱処理装置２００は、乾燥炉２０１と熱分解炉２０２とを備えている。乾燥炉２０１及び熱分解炉２０２は、ロータリーキルン方式を採用し、被処理物が供される回転炉２０３，２０４と、回転炉２０３，２０４を加熱する加熱ジャケット２０５，２０６を備えている。加熱ジャケット２０５，２０６には熱風炉２０７から熱風ガスが供される。乾燥炉２０１や熱分解炉２０２で得た乾燥物及び炭化物等は、肥料資材、園芸用土壌資材等として有効利用されている。一方、乾燥炉２０１及び熱分解炉２０２で発生した水蒸気及び熱分解ガスは、ガス燃焼炉２０８に供されて燃焼処理される。
【０００５】
ガス燃焼炉２０８で燃焼処理したガスは、ダイオキシンの再合成を回避するため、熱交換器２０９において急速冷却した後、バグフィルタ２１０において排ガス中のダストを除去して浄化処理することが行われている。浄化処理したガスは、ブロアによって煙突から系外に排気される。
【０００６】
図４は通常運転時のバグフィルタ装置の概略図、図５は濾布洗浄時のバグフィルタ装置の概略図である。図４および図５に示されたバグフィルタは、パルスジェット方式に基づくもので、被処理ガス（例えば熱交換器から排出されたガス）が供給される濾布３０１を設けた処理室３０２と、濾布３０１を通気したガス（処理ガス）が捕集される排気室３０３を備えている。
【０００７】
処理室３０２と排気室３０３は、区画板３０４によって区画されている。区画板３０４、処理室３０２内において円筒器状の濾布３０１を複数配置している。濾布３０１は、区画板３０４の開口部に着脱自由に取り付けた図示省略した円筒器状の支持フレームに支持されている。また、処理ガスが排出される濾布３０１の開口部にはベンチュリ３０５が設けられ、系外から導入した圧縮空気による濾布の洗浄を効果的なものにしている。
【０００８】
圧縮空気は圧縮空気導入管３０６を介して導入される。圧縮導入配管３０６には圧縮空気を濾布３０１に供給するためのノズル配管３０７が接続される。ノズル配管３０７には電磁弁等のバルブ３０８が具備されている。ノズル配管３０７は処理室３０２内に設けられる濾布３０１の数に応じて設けられる。圧縮空気導入管３０６にはバグフィルタ内に火災が発生したとき圧縮空気の導入を遮断するバルブ３０９が設けられている。
【０００９】
また、処理室３０２の下部は濾布３０１によって分離した飛灰等のダストを捕集するホッパー部３１０が形成されている。ホッパー部３１０には、コンベアモータによって駆動するスクリューコンベア３１１が設けられ、捕集したダストをバグフィルタ外に移送できるようにしてある。ここでは、ロータリーバルブ３１２を介して回収タンク３１３に移送される。回収タンク３１３は、バグフィルタと気密に連設することが望ましい。バグフィルタと回収タンク３１３とが気密に連絡されていないと、処理ガスを排出するためのブロア３１４の運転を継続した場合、両者の接続部から空気が流入し、バグフィルタ内の火災を助長させてしまうからである。
【００１０】
次いで、図４、図５を参照しながら、バグフィルタの動作例を説明する。
【００１１】
通常運転時には、被処理ガスがブロア３１４の運転によってバグフィルタ内の処理室３０２に導入される。導入された被処理ガスは濾布３０１を通過し排気室３０３を経て系外に排出される。この際、ガス中の飛灰等のダストが濾布３０１によって除去される。このとき、適時、圧縮空気による濾布洗浄が実行される。すなわち、圧縮空気供給管３０６から圧縮空気が瞬時供給される。このとき、濾布３０１に付着して飛灰等のダストが払い落とされる。ホッパー部３１０に捕集されたダストはスクリューコンベア３１１によって回収タンク３１３に移送される。
【００１２】
上述のようにして廃棄物等を処理することで発生する粉塵、飛灰等を回収する技術として、空気輸送により粉塵を回収する技術(例えば、特許文献１参照。)、空気輸送により飛灰を回収する技術(例えば、特許文献２、３参照。)等が開示されている。
【特許文献１】特開２００３−８０１８８号公報
【特許文献２】特開平１０−２３８７４９号公報
【特許文献３】特開２００２−７１１１９号公報
【発明の開示】
【発明が解決しようとする課題】
【００１３】
回収タンクに回収された飛灰は、別の容器に移し替えてから処分場に運搬される。飛灰は微細で且つ軽い性質を有しているので、飛灰を容器に移し替える作業中に大気中に飛散する可能性がある。これを防止するために、水を噴霧する等の対策が施され、作業員の作業環境の保護が図られているが、十分とは言えない。
【００１４】
一方、灰類などの微粉末の搬送方法として空気輸送を用いることが知られているが、搬送後の灰類の取り扱いに関する技術ついては何ら開示されておらず、搬送後の灰類等の処理が問題となる。
【００１５】
本発明はかかる事情に鑑みなされたもので、その目的は、飛灰を袋詰めして回収するにあたり、飛灰の飛散を防止して作業環境の適切な維持を行うため、バグフィルタ装置において捕集回収した飛灰を空気輸送により所定箇所に搬送し、搬送された飛灰が飛散しないように袋に充填することを目的とする。
【課題を解決するための手段】
【００１６】
そこで請求項１に記載の飛灰の袋詰め方法は、原料を加熱処理する際に生じた排ガス中の飛灰をバグフィルタで捕集してから回収タンクに回収した後に、飛灰が大気中に飛散しないように袋詰めを行う方法であって、前記回収タンク内の飛灰を空気輸送装置によりホッパに導入する第1工程と、前記ホッパに導入された飛灰を該ホッパに具備される定量を行う手段により規定の体積または重量に分別する第2工程と、前記分別した飛灰を大気中に飛散しないように袋詰めにする第3工程と、前記袋詰めした回収袋を密封する第4工程とからなることを特徴とする。
【００１７】
また、請求項２に記載の飛灰の袋詰め方法は、請求項１記載の飛灰の袋詰め方法において、前記第1工程の空気輸送装置は、前記回収タンクに取り付ける吸引ノズルと、この吸引ノズルを前記ホッパに接続する配管と、前記ホッパに接続し空気の吸引を行うコンプレッサと、このコンプレッサへの飛灰の侵入を防止するフィルタとから構成されることを特徴とする。
【００１８】
また、請求項３に記載の飛灰の袋詰め方法は、請求項１または２記載の飛灰の袋詰め方法において、前記第2工程の定量を行う手段は前記ホッパの下部に具備される定量計測部と第1開閉ダンパと第2開閉ダンパとからなり、前記第1開閉ダンパを開放して前記ホッパに導入された飛灰を前記定量計測部に導入し、規定した体積または重量の飛灰を前記定量計測部に堆積させてから前記第1開閉ダンパを閉じ、前記第2開閉ダンパを開放して規定した体積または重量の飛灰を袋詰めにすることを特徴とする。
【００１９】
また、請求項４に記載の飛灰の袋詰め方法は、請求項１〜３いずれかに記載の飛灰の袋詰め方法において、前記第３工程は、前記ホッパ下端の開口部に装着した回収袋に前記分別された飛灰を導入するもので、前記回収袋を袋保持枠により保持し、前記ホッパ下端の開口部を前記回収袋の開口部で覆うようにして該回収袋を装着し、前記ホッパ下端には袋状の開口部保持部材を設置し、この開口部保持部材の開口部で前記回収袋を封止してから袋詰めを行うことを特徴とする。
【００２０】
また、請求項５に記載の飛灰の袋詰めシステムは、原料を加熱処理する際に生じた排ガス中の飛灰をバグフィルタで捕集してから回収タンクに回収した後に、飛灰が大気中に飛散しないように袋詰めを行うシステムであって、前記回収タンクに取り付ける吸引ノズルと、この吸引ノズルをホッパに接続する配管と、前記ホッパに接続し空気の吸引を行うコンプレッサと、このコンプレッサへの飛灰の侵入を防止するフィルタと、前記ホッパに設置された飛灰の定量を行う手段と、前記ホッパ下端の開口部に装着する回収袋と、この回収袋を密封する手段とからなることを特徴とする。
【００２１】
また、請求項６に記載の飛灰の袋詰めシステムは、請求項５記載の袋詰めシステムにおいて、前記飛灰の定量を行う手段は、前記ホッパの下部に具備される定量計測部と第1開閉ダンパと第2開閉ダンパとからなり、前記第1開閉ダンパを開放して前記ホッパに導入された飛灰を前記定量計測部に導入し、規定した体積または重量の飛灰を前記定量計測部に堆積させてから前記第1開閉ダンパを閉じ、前記第2開閉ダンパを開放して規定した体積または重量の飛灰を袋詰めにすることを特徴とする。
【００２２】
また、請求項７に記載の飛灰の袋詰めシステムは、請求項５または６記載の飛灰の袋詰めシステムにおいて、前記前記ホッパ下端の開口部に取り付けられている回収袋は、袋保持枠により保持され、前記ホッパ下端の開口部を前記回収袋の開口部で覆うようにして該回収袋を装着し、前記ホッパ下端には袋状の開口部保持部材を設置し、この開口部保持部材の開口部で前記回収袋を封止してから袋詰めを行うことを特徴とする。
【００２３】
請求項１の飛灰の袋詰め方法において、原料としては、各種汚泥、有機性廃棄物、生産活動で発生した端材などの産業廃棄物等がある。また、加熱処理は図３に示した施設を用いて行うことができる。また、バグフィルタには図４、５に示したものを用いることができる。この袋詰め方法では、第２工程で飛灰を規定の体積または重量に分別することで、袋詰めする際に飛灰が袋からあふれることが無い。この効果は、飛灰を規定の体積または重量以下に分別した場合も同様である。また、第4工程における回収袋の密封にはシーラ等の装置、シール部材、リング状部材、ひも部材等を用いて行うことができるが、回収袋を密封できるものであればよい。
【００２４】
請求項２の飛灰の袋詰め方法において、ホッパに導入された飛灰は、ホッパ内に堆積するか、フィルタに付着する。このフィルタに駆動源を設置して、付着した飛灰を除去するようにしてもよい。
【００２５】
請求項３の飛灰の袋詰め方法において、(１)定量計測部の側壁に目盛りと覗き窓とを設置する方法、(２)定量計測部を完全に充填することで飛灰を一定の体積または重量とする方法、(３)第1開閉ダンパを開放した時間と飛灰の導入速度とから飛灰の体積または重量を算出する方法、(４)堆積した飛灰の上面を感知するセンサを定量計測部に設置する方法等により飛灰の体積または重量を測定することができる。
【００２６】
請求項４の飛灰の袋詰め方法において、開口部保持部材の開口部で回収袋を封止するとは、回収袋に飛灰を詰める際に飛散した飛灰が大気中にまで飛散しない程度に開口部保持部材の開口部が回収袋に装着されていればよい。
【００２７】
請求項５の飛灰の袋詰めシステムにおいて、原料としては、各種汚泥、有機性廃棄物、生産活動で発生した端材などの産業廃棄物等がある。また、加熱処理は図３に示した施設を用いて行うことができる。また、バグフィルタには図４、５に示したものを用いることができる。定量を行う手段により飛灰を規定の体積または重量に分別することで、袋詰めする際に飛灰が袋からあふれることが無い。この効果は、飛灰を規定の体積または重量以下に分別した場合も同様である。また、回収袋を密封する手段にはシーラ等の装置、シール部材、リング状部材、ひも部材等を用いることができるが、回収袋を密封できるものであればよい。
【００２８】
請求項６の飛灰の袋詰めシステムにおいて、(１)定量計測部の側壁に目盛りと覗き窓とを設置する方法、(２)定量計測部を完全に充填することで飛灰を一定の体積または重量とする方法、(３)第1開閉ダンパを開放した時間と飛灰の導入速度とから飛灰の体積または重量を算出する方法、(４)堆積した飛灰の上面を感知するセンサを定量計測部に設置する方法等により飛灰の体積または重量を測定することができる。
【００２９】
請求項７の飛灰の袋詰めシステムにおいて、開口部保持部材の開口部で回収袋を封止するとは、回収袋に飛灰を詰める際に飛散した飛灰が大気中にまで飛散しない程度に開口部保持部材の開口部が回収袋に装着されていればよい。
【発明の効果】
【００３０】
本発明によれば、飛灰を空気輸送によりホッパに移送し、移送した飛灰を大気中に飛散させないように袋詰めすることができるので、飛灰の処理に際し良好な作業環境を確保することができ、さらには処理施設から環境への排出を低減することができる。
【発明を実施するための最良の形態】
【００３１】
図１は空気輸送装置１００により飛灰を袋詰めするシステムの概略図である。なお、本システムは、前記図３〜５に記載のバグフィルタ等により回収した飛灰、その他の各種粉塵等に適用できる。
【００３２】
図１において、飛灰が堆積する回収タンク１０１には飛散防止保護蓋１０２が取り付けられており、この飛散防止保護蓋１０２を貫通して吸引ノズル１０３が挿入されて着脱自由に取り付けられている。吸引ノズル１０３には配管１０４が接続されており、この配管１０４はホッパ１０５に通じている。
【００３３】
ホッパ１０５の上部にはベンチュリ１０８を介して、空気の吸引を行うコンプレッサ１０９が接続されている。また、コンプレッサ１０９にはコンプレッサ１０９内に飛灰を流入させないようにするために、飛灰を付着するフィルタ１０６が取り付けられている。また、フィルタ１０６はフィルタ１０６表面に付着した飛灰を振動等により除去する手段としてフィルタ駆動源１０７を具備している。
【００３４】
ホッパ１０５の下部には定量計測部１１０が具備され、この定量計測部１１０は第１、第２開閉ダンパ１１１、１１２を備える。ホッパ１０５下端の開口部には回収袋(通気性の無いプラスチック、紙類等)１１３を装着できるようになっており、飛灰を充填した回収袋１１３はコンベア１１４によりシーラ１１５に移送されて密封される。
【００３５】
次いで、図１に記載の空気輸送装置１００による飛灰移送の動作例について説明する。
【００３６】
まずコンプレッサ１０９により空気の吸引を行う。この吸引により回収タンク１０１内の飛灰が吸引ノズル１０３、配管１０４を介してポッパ１０５に導入される。ホッパ１０５に導入された飛灰はフィルタ１０６の表面に付着するか、第1開閉ダンパ１１１の上部に堆積するが、フィルタ１０６の表面に付着した飛灰はフィルタ駆動源１０７により除去されるので、結果的にはホッパ１０５に導入された全ての飛灰は第1開閉ダンパ１１１の上部に堆積する。
【００３７】
第1開閉ダンパ１１１を開いて、堆積した飛灰を定量計測部１１０に導入し、定量計測部１１０に一定の体積または重量の飛灰を堆積させた後に、第1開閉ダンパを閉じてから第２開閉ダンパを開き、ホッパ１０５下端の開口部から一定の体積または重量の飛灰を回収袋１１３に充填する。
【００３８】
定量計測部１１０で飛灰の体積または重量を測定する方法としては、(１)定量計測部１１０の側壁に目盛りと覗き窓とを設置する方法、(２)定量計測部１１０を完全に充填することで一定の体積または重量とする方法、(３)第1開閉ダンパ１１１を開放した時間と飛灰の導入速度とから飛灰の体積または重量を算出する方法、(４)堆積した飛灰の上面を感知するセンサを定量計測部１１０に設置する方法等がある。なお定量計測部１１０、第1、第２開閉ダンパ１１１、１１２に制御装置(図示省略)を接続して、前記(２)〜(４)の方法における第1、第２開閉ダンパ１１１、１１２の開閉動作を定量分離制御により行うことができる。
【００３９】
飛灰が一定量充填された回収袋１１３はコンベア１１４でシーラ１１５に移送されて、シーラ１１５により回収袋の開口部を密封する。
【００４０】
ここで図２a〜ｃにより回収袋１１３への飛灰の充填について詳しく説明する。図２aは回収袋１１３への飛灰の充填を示す正面図、図２ｂは回収袋１１３への飛灰の充填を示す側面図、図２ｃは袋保持枠１１７の上方視図である。袋保持枠１１７はその一側面に観音開きに開閉自由な開閉扉１１６を備えており、この開閉扉１１６を開口して回収袋１１３の取り付け、取り外しを行うことができる。回収袋１１３を袋保持枠１１７の中に保持して、回収袋１１３の開口部でホッパ１０５下端の開口部を覆うようにしてホッパ１０５下端の開口部に回収袋１１３を装着する。この装着は、回収袋１１３の開口部をホッパ１０５下端の開口部に密着させてもよいし、密着させてからリング部材、ひも部材等で嵌着、締着、巻着等により固定してもよいし、回収袋１１３の開口部を伸縮自在に構成してホッパ１０５下端の開口部に固定してもよいし、回収袋１１３の開口部にシール部材を設けてホッパ１０５下端の開口部に吸着させてもよい。
【００４１】
ホッパ１０５下端には袋状の開口部保持部材１１８が具備され、飛灰の充填中に飛灰が大気中に飛散しないように開口部保持部材１１８の開口部で回収袋１１３を緊密に封止する。この封止は、開口部保持部材１１８の開口部を回収袋１１３に密着させてもよいし、密着させてからリング部材、ひも部材等で嵌着、締着、巻着等により固定してもよいし、開口部保持部材１１８の開口部を伸縮自在に構成して回収袋１１３に固定してもよいし、開口部保持部材１１８にシール部材を設けて回収袋１１３に吸着させてもよい。
【００４２】
開口部保持部材１１８は柔軟性を有する袋状の部材、または、弾性を有する袋状の部材により構成することができる。なお袋状の開口部保持部材１１８はホッパ１０５下端と袋保持枠１１７とに渡って設けてもよい。この場合は開口部保持部材１１８の開口部を袋保持枠１１７に密着させて固定してもよいし、密着させてからリング部材、ひも部材等で嵌着、締着、巻着等により固定してもよいし、開口部保持部材１１８の開口部を伸縮自在に構成して袋保持枠１１７に固定してもよいし、開口部保持部材１１８の開口部にシール部材を設けて袋保持枠１１７に吸着させて固定してもよい。
【００４３】
上述の構成によれば、ホッパ１０５下端の開口部および回収袋１１３の開口部は袋状の開口部保持部材１１８により封止されているので、回収袋１１３への飛灰の充填を行う際に、ホッパ１０５下端の開口部および回収袋１１３の開口部から飛灰が大気中に飛散するのを防止することができる。
【図面の簡単な説明】
【００４４】
【図１】空気輸送装置により飛灰を袋詰めするシステムの概略図。
【図２】回収袋への飛灰の充填を示す図。
【図３】間接加熱方式を採用した加熱処理装置を備えた施設の概略図。
【図４】通常運転時のバグフィルタ装置の概略図。
【図５】濾布洗浄時のバグフィルタ装置の概略図。
【符号の説明】
【００４５】
１００…空気輸送装置
１０１…回収タンク
１０２…飛散防止保護蓋
１０３…吸引ノズル
１０４…配管
１０５…ホッパ
１０６…フィルタ
１０７…フィルタ駆動源
１０８…ベンチュリ
１０９…コンプレッサ
１１０…定量計測部
１１１…第1開閉ダンパ
１１２…第２開閉ダンパ
１１３…回収袋
１１４…コンベア
１１５…シーラ
１１６…開閉扉
１１７…袋保持枠
１１８…開口部保持部材
【図１】
2005112373.tif 000003
【図２】
2005112373.tif 000004
【図３】
2005112373.tif 000005
【図４】
2005112373.tif 000006
【図５】
2005112373.tif 000007